(57)【要約】【課題】強風を受けても故障し難い傘を提供する。【解決手段】第１の方向に沿って延伸すると共に断面が略円形である中棒と、該中棒の上端に固定された上ろくろと、前記中棒に前記第１の方向に沿って自在に移動可能に設けられた下ろくろと、を具える傘であって、前記下ろくろと連接する下嵌合体と、前記下ろくろと前記下嵌合体の間に、前記中棒に対して回転不能に固定された上嵌合体と、を具え、前記下嵌合体及び前記上嵌合体のいずれか一方は、別の一方に向かって凸設された第１の制限部を具え、別の一方は、前記第１の制限部に対応して凹設された第２の制限部を具える傘。【選択図】図１
2019217241.tif 000002
【特許請求の範囲】
【請求項１】
第１の方向に沿って延伸すると共に断面が略円形である中棒と、前記中棒の上端に固定された上ろくろと、前記中棒に前記第１の方向に沿って移動可能に設けられた下ろくろと、を具える傘であって、
前記下ろくろと連接する下嵌合体と、前記上ろくろと前記下嵌合体の間に、前記中棒に対して回転不能に固定された上嵌合体と、を具え、
前記下嵌合体と前記上嵌合体のいずれか一方は、いずれか他方に向かって凸設された第１の制限部を具え、前記いずれか他方は、前記第１の制限部に対応して凹設された第２の制限部を具えることを特徴とする傘。
【請求項２】
前記下嵌合体は前記中棒を内側に囲む中空管状体であり、
前記第１の制限部は、前記上嵌合体に設けられ、且つ、前記中棒に沿って前記第２の制限部に向かって突起する凸部となっており、
前記第２の制限部は、前記下嵌合体に設けられ、且つ、前記第１の制限部に向かって開口した凹部となっていることを特徴とする請求項１に記載の傘。
【請求項３】
前記上嵌合体及び前記下嵌合体はそれぞれ前記中棒を内側に囲む中空管状体であり、且つ、それぞれ前記中棒に沿って延伸することを特徴とする請求項１に記載の傘。
【請求項４】
前記第１の制限部は、
前記第２の制限部に向かって延伸する延伸部と、
前記延伸部が前記第２の制限部に向かって延伸する先端において円弧状に前記第２の制限部に向かって突起する円弧面を有する円弧凸面と、
前記円弧凸面の反対側において、前記第２の制限部から離れるに連れて互いの距離が広がるように傾斜する一対の凸部斜面と、を有するように形成され、
前記第２の制限部は、前記第１の制限部と嵌め合う際、前記第１の制限部が有する前記円弧凸面と当接する円弧凹面と、前記一対の凸部斜面とそれぞれ当接する凹部斜面と、が形成されていることを特徴とする請求項２または請求項３に記載の傘。
【請求項５】
前記上嵌合体は前記上ろくろに固定され、
前記上ろくろ及び前記下ろくろにそれぞれ取付けられている傘骨とを更に具えていることを特徴とする請求項１〜４のいずれか１項に記載の傘。
【請求項６】
前記上嵌合体は、前記中棒に直接固定されることを特徴とする請求項１〜４のいずれか１項に記載の傘。
【発明の詳細な説明】
【技術分野】
【０００１】
本発明は、傘に関し、特に強風を受けても故障し難い傘に関する。
【背景技術】
【０００２】
例えば特許文献１に記載された従来の傘は、中棒と、中棒の上端に固定された上ろくろと、中棒に沿って移動可能に設けられた下ろくろと、上ろくろと下ろくろにそれぞれ取付けられている複数の傘骨とを具える。
【先行技術文献】
【特許文献】
【０００３】
【特許文献１】台湾実用新案登録第Ｍ５３９８３０号明細書
【発明の概要】
【発明が解決しようとする課題】
【０００４】
傘を開けば、降り注ぐ雨や日光などを防ぐことができるが、強風を受けると、上ろくろが中棒に固定されているまま、中棒に可動的に取付けられた下ろくろと傘骨が、強風にあおられた傘布に伴ってに動かされるので、傘骨が捻られ故障する場合がある。
よって、本発明は上記の問題点に鑑みて、強風を受けても故障し難い傘を提供する。
【課題を解決するための手段】
【０００５】
上記の目的を達成すべく、本発明は、第１の方向に沿って延伸すると共に断面が略円形である中棒と、該中棒の上端に固定された上ろくろと、前記中棒に前記第１の方向に沿って自在に移動可能に設けられた下ろくろと、を具える傘であって、前記下ろくろと連接する下嵌合体と、前記下ろくろと前記下嵌合体の間に、前記中棒に対して回転不能に固定された上嵌合体と、を具え、前記下嵌合体及び前記上嵌合体のいずれか一方は、別の一方に向かって凸設された第１の制限部を具え、別の一方は、前記第１の制限部に対応して凹設された第２の制限部を具える傘を提供する。
【発明の効果】
【０００６】
以上のように、本発明による傘の実施形態は、上ろくろと下ろくろが互いに対して回転不能であり、使用中に風を受けても傘骨が捻られることを防げ、故障しにくいので、長期間にわたって傘を使用できる。
【図面の簡単な説明】
【０００７】
【図１】本発明による傘の第１の実施形態を説明する説明図である。
【図２】該第１の実施形態の一部が示される一部斜視図である。
【図３】該第１の実施形態の一部が示される一部正面図である。
【図４】本発明による傘の第２の実施形態を説明する説明図である。
【図５】該第２の実施形態の一部が示される一部斜視図である。
【図６】該第２の実施形態の一部が示される一部正面図である。
【発明を実施するための形態】
【０００８】
図１は、本発明による傘の第１の実施形態を説明する説明図である。図１に示されるよに、本発明による傘の第１の実施形態は、第１の方向に沿って軸線Ｌを中心に延伸すると共に断面が略円形である中棒１と、該中棒１の上端に固定された上ろくろ２と、上ろくろ２に固定される上嵌合体２０と、中棒１に第１の方向に沿って移動可能に設けられた下ろくろ３と、下ろくろ３と連接する下嵌合体１０と、上ろくろ２及び下ろくろ３にそれぞれ取付けられていると共に枢設されている複数の傘骨４と、を具える。中棒１、上ろくろ２、下ろくろ３、及び傘骨４は既に周知技術なので詳しい説明はここでは省略とする。
図２は、第１の実施形態の一部が示される一部斜視図である。図２を参照して上嵌合体２０と下嵌合体１０とについて説明する。
【０００９】
上嵌合体２０は、中棒１を内側に囲み、軸線Ｌを中心とした中空管状体であり、上ろくろ２に固定されると共に中棒１に沿って延伸する。具体的には、上嵌合体２０は、中空管状体の上筒２１と、上筒２１が下嵌合体１０に面する一端である上端面２１１から下嵌合体１０に向かって凸設された凸部２２と、を具える。
【００１０】
下嵌合体１０は、中棒１を内側に囲む中空管状体であり、中棒１に沿って延伸するように形成される。具体的には、下嵌合体１０は、中空管状体の下筒１１と、下筒１１が上嵌合体２０に面する一端である下端面１１１に上嵌合体２０に向かって凹設された凹部１２と、を具える。
【００１１】
本実施形態において、凸部２２は、延伸部と、一対の円弧凸面２２１と、を有する。延伸部は、上端面２１１から凹部１２に向かって延伸する。円弧凸面２２１は、延伸部が凹部１２に向かって延伸する先端において、円弧状に凹部１２に向かって突起する円弧面を有する。凸部２２の一対の凸部斜面２２２は、円弧凸面２２１の反対側において、凹部１２から離れるに連れて互いの距離が広がるように傾斜する。
【００１２】
本実施形態において、凹部１２は、円弧凹面１２２と、一対の凹部斜面１２１と、を有する。円弧凹面１２２は、凸部２２と嵌め合う際、凸部２２を受け入れられるように形成されていると共に、凸部２２と嵌め合う際、凸部２２が有する円弧凸面２２１と当接する。該一対の凹部斜面１２１は、一対の凸部斜面２２２とそれぞれ当接する。
【００１３】
図３は、第１の実施形態の一部が示される一部正面図である。以下、図１〜３を参照しながら本発明による傘の第１の実施形態が使用される様子について説明する。
【００１４】
傘を閉じた時、上ろくろ２と連接する上嵌合体２０と下ろくろ３と連接する下嵌合体１０は互いに離れた状態であり、中棒１が上嵌合体２０及び下嵌合体１０を貫通し、且つ複数の傘骨４が上ろくろ２と下ろくろ３とにそれぞれ枢設されていることにより、下嵌合体１０の凹部１２及び上嵌合体２０の凸部２２は軸線Ｌと平行に一直線状に並ぶような位置関係となる。
【００１５】
傘を開いた時、上嵌合体２０と下嵌合体１０は徐々に近づき、そして傘が完全に開いた時に上嵌合体２０と下嵌合体１０は互いに嵌合する。特に、凹部１２は凸部２２に整列する位置から少しずれた場合でも、円弧凸面２２１は凹部斜面１２１に導かれて、一直線状となり且つ円滑に円弧凹面１２２の底に当たることができ、上嵌合体２０と下嵌合体１０は確実に嵌合できる。
【００１６】
次に、図４〜６を参照して、本発明の第２の実施形態を説明する。ここで、図４は本発明による傘の第２の実施形態を説明する説明図であり、図５は該第２の実施形態の一部が示される一部斜視図であり、図６は該第２の実施形態の一部が示される一部正面図である。
【００１７】
第２の実施形態における第１の実施形態との差は、主に上嵌合体２０に関する。本実施形態において、上嵌合体２０´は上ろくろ２に連接せず、代わりに上ろくろ２と間隔をあけた状態で直接中棒１に固定される。第１の実施形態のように、第２の実施形態の上嵌合体２０及び下嵌合体１０は互いに嵌め合うことができる。
【産業上の利用可能性】
【００１８】
以上のように、本発明の実施形態において、上嵌合体２０及び下嵌合体１０は互いに嵌め合うことにより、上ろくろ２０と下ろくろ１０が相対的に回転できなくなり、使用中に傘が風を受けても傘骨が捻れにくい。
【符号の説明】
【００１９】
１        中棒
１０      下嵌合体
１１      下筒
１１１    下端面
１２      凹部
１２１    凹部斜面
１２２    円弧凹面
２        上ろくろ
２０      上嵌合体
２１      上筒
２１１    上端面
２２      凸部
２２１    円弧凸面
２２２    凸部斜面
３        下ろくろ
４        傘骨
Ｌ        軸線
【図１】
2019217241.tif 000003
【図２】
2019217241.tif 000004
【図３】
2019217241.tif 000005
【図４】
2019217241.tif 000006
【図５】
2019217241.tif 000007
【図６】
2019217241.tif 000008